【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
撮像手段と、
この撮像手段に対し、第１の露光条件による撮像を少なくとも１回以上行わせる第１の撮像制御手段と、
この第１の撮像制御手段により撮像された画像データについて所定の画像評価を行う画像評価手段と、
この画像評価手段による評価結果に基づいて、前記撮像手段に設定される撮像条件を制御する撮影条件制御手段と、
この撮影条件制御手段によって設定された撮影条件で、且つ、第１の露光条件とは異なる第２の露光条件による撮像を少なくとも１回以上行わせる第２の撮像制御手段と、
前記第１の撮像制御手段による撮像と前記第２の撮像制御手段による撮像とを繰り返し交互に行わせ、複数の画像データを取得する画像データ取得手段と、
前記画像データ取得手段により取得された画像データのうち、前記第２の撮像制御手段による撮像により取得された複数の画像データから動画像データを生成する動画像データ生成手段と、
を備えたことを特徴とする撮像装置。
【請求項２】
前記第１の撮像制御手段は、第１の露光条件での撮像を１回行わせるとともに、
前記第２の撮像制御手段は、第２の露光条件での撮像を１回行わせることを特徴とする請求項１記載の撮像装置。
【請求項３】
前記画像評価手段は、前記第１の撮像制御手段によって撮像された画像データからＡＦ評価値を算出する算出手段を含み、
前記撮像条件とは、前記算出手段によって算出されたＡＦ評価値に基づいて移動するフォーカスレンズのレンズ位置を含むことを特徴とする請求項１又は２記載の撮像装置。
【請求項４】
前記第１の撮像制御手段によって撮像された画像データから顔領域を検出する顔検出手段を更に備え、
前記算出手段は、前記顔検出手段によって検出された顔領域のＡＦ評価値を算出することを特徴とする請求項１〜３の何れかに記載の撮像装置。
【請求項５】
前記顔検出手段は、更に、前記第２の撮像制御手段によって撮像された画像データから顔を検出し、
前記画像評価手段は、前記顔検出手段が前記第１の撮像制御手段によって撮像された画像データから検出された顔領域の個数と、前記第２の撮像制御手段によって撮像された画像データから検出された顔領域の個数とを比較し、検出された顔領域の個数が多いほうの画像データを前記画像評価手段が画像評価すべき画像データとして採用することを特徴とする請求項４記載の撮像装置。
【請求項６】
前記動画像データと、前記顔検出手段により検出された顔領域とを表示する表示手段を更に備えたことを特徴とする請求項４又は５記載の撮像装置。
【請求項７】
前記動画像データと、前記画像評価手段が採用したほうの画像データの顔領域とを表示する表示手段を更に備えたことを特徴とするクレーム５記載の撮像装置。
【請求項８】
画像データを記録する記録手段と、
前記動画像データ生成手段によって生成された動画像データと、前記画像評価手段によって評価された画像データとを関連付けて前記記録手段に記録させる記録制御手段を備えたことを特徴とする請求項１〜７の何れかに記載の撮像装置。
【請求項９】
前記第１の露光条件とは所定の長さの露光時間であり、前記前記第２の露光条件とは前記第１の露光条件による露光時間よりも長い露光時間であることを特徴とするクレーム１〜８の何れかに記載の画像表示装置。
【請求項１０】
撮像装置に内蔵されたコンピュータを、
撮像手段、
この撮像手段に対し、第１の露光条件による撮像を少なくとも１回以上行わせる第１の撮像制御手段、
この第１の撮像制御手段により撮像された画像データについて所定の画像評価を行う画像評価手段、
この画像評価手段による評価結果に基づいて、前記撮像手段に設定される撮像条件を制御する撮影条件制御手段、
この撮影条件制御手段によって設定された撮影条件で、且つ、第１の露光条件とは異なる第２の露光条件による撮像を少なくとも１回以上行わせる第２の撮像制御手段と、
前記第１の撮像制御手段による撮像と前記第２の撮像制御手段による撮像とを繰り返し交互に行わせ、複数の画像データを取得する画像データ取得手段、
前記画像データ取得手段により取得された画像データのうち、前記第２の撮像制御手段による撮像により取得された複数の画像データから動画像データを生成する動画像データ生成手段
として機能させることを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、撮像手段と、
この撮像手段に対し、第１の露光条件による撮像を少なくとも１回以上行わせる第１の撮像制御手段と、
この第１の撮像制御手段により撮像された画像データについて所定の画像評価を行う画像評価手段と、
この画像評価手段による評価結果に基づいて、前記撮像手段に設定される撮像条件を制御する撮影条件制御手段と、
この撮影条件制御手段によって設定された撮影条件で、且つ、第１の露光条件とは異なる第２の露光条件による撮像を少なくとも１回以上行わせる第２の撮像制御手段と、
前記第１の撮像制御手段による撮像と前記第２の撮像制御手段による撮像とを繰り返し交互に行わせ、複数の画像データを取得する画像データ取得手段と、
前記画像データ取得手段により取得された画像データのうち、前記第２の撮像制御手段による撮像により取得された複数の画像データから動画像データを生成する動画像データ生成手段と、
を備えたことを特徴とする。
【手続補正３】
【補正対象書類名】明細書
【補正対象項目名】０００７
【補正方法】変更
【補正の内容】
【０００７】
また、例えば、請求項２に記載されているように、前記第１の撮像制御手段は、第１の露光条件での撮像を１回行わせるとともに、前記第２の撮像制御手段は、第２の露光条件での撮像を１回行わせるようにしてもよい。
【手続補正４】
【補正対象書類名】明細書
【補正対象項目名】０００８
【補正方法】変更
【補正の内容】
【０００８】
また、例えば、請求項３に記載されているように、前記画像評価手段は、前記第１の撮像制御手段によって撮像された画像データからＡＦ評価値を算出する算出手段を含み、前記撮像条件とは、前記算出手段によって算出されたＡＦ評価値に基づいて移動するフォーカスレンズのレンズ位置を含むようにしてもよい。
【手続補正５】
【補正対象書類名】明細書
【補正対象項目名】０００９
【補正方法】変更
【補正の内容】
【０００９】
また、例えば、請求項４に記載されているように、前記第１の撮像制御手段によって撮像された画像データから顔領域を検出する顔検出手段を更に備え、前記算出手段は、前記顔検出手段によって検出された顔領域のＡＦ評価値を算出するようにしてもよい。
【手続補正６】
【補正対象書類名】明細書
【補正対象項目名】００１０
【補正方法】変更
【補正の内容】
【００１０】
また、例えば、請求項５に記載されているように、前記顔検出手段は、更に、前記第２の撮像制御手段によって撮像された画像データから顔を検出し、前記画像評価手段は、前記顔検出手段が前記第１の撮像制御手段によって撮像された画像データから検出された顔領域の個数と、前記第２の撮像制御手段によって撮像された画像データから検出された顔領域の個数とを比較し、検出された顔領域の個数が多いほうの画像データを前記画像評価手段が画像評価すべき画像データとして採用するようにしてもよい。
【手続補正７】
【補正対象書類名】明細書
【補正対象項目名】００１１
【補正方法】変更
【補正の内容】
【００１１】
また、例えば、請求項６に記載されているように、前記動画像データと、前記顔検出手段により検出された顔領域とを表示する表示手段を更に備えるようにしてもよい。
【手続補正８】
【補正対象書類名】明細書
【補正対象項目名】００１２
【補正方法】変更
【補正の内容】
【００１２】
また、例えば、請求項７に記載されているように、前記動画像データと、前記画像評価手段が採用したほうの画像データの顔領域とを表示する表示手段を更に備えるようにしてもよい。
【手続補正９】
【補正対象書類名】明細書
【補正対象項目名】００１３
【補正方法】変更
【補正の内容】
【００１３】
また、例えば、請求項８に記載されているように、画像データを記録する記録手段と、前記動画像データ生成手段によって生成された動画像データと、前記画像評価手段によって評価された画像データとを関連付けて前記記録手段に記録させる記録制御手段を備えるようにしてもよい。
【手続補正１０】
【補正対象書類名】明細書
【補正対象項目名】００１４
【補正方法】変更
【補正の内容】
【００１４】
また、例えば、請求項９に記載されているように、前記第１の露光条件とは所定の長さの露光時間であり、前記前記第２の露光条件とは前記第１の露光条件による露光時間よりも長い露光時間であるようにしてもよい。
【手続補正１１】
【補正対象書類名】明細書
【補正対象項目名】００１５
【補正方法】変更
【補正の内容】
【００１５】
また、例えば、請求項１０に記載されているように、前記動画像取得手段により取得された動画像データを表示手段に表示させるとともに、前記採用手段により採用された画像データの検出された顔領域を識別表示させる表示制御手段を備えるようにしてもよい。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
上記目的達成のため、請求項１０記載の発明によるプログラムは、撮像装置に内蔵されたコンピュータを、
撮像手段、
この撮像手段に対し、第１の露光条件による撮像を少なくとも１回以上行わせる第１の撮像制御手段、
この第１の撮像制御手段により撮像された画像データについて所定の画像評価を行う画像評価手段、
この画像評価手段による評価結果に基づいて、前記撮像手段に設定される撮像条件を制御する撮影条件制御手段、
この撮影条件制御手段によって設定された撮影条件で、且つ、第１の露光条件とは異なる第２の露光条件による撮像を少なくとも１回以上行わせる第２の撮像制御手段と、
前記第１の撮像制御手段による撮像と前記第２の撮像制御手段による撮像とを繰り返し交互に行わせ、複数の画像データを取得する画像データ取得手段、
前記画像データ取得手段により取得された画像データのうち、前記第２の撮像制御手段による撮像により取得された複数の画像データから動画像データを生成する動画像データ生成手段
として機能させることを特徴とする。